(57)【特許請求の範囲】
【請求項１】
図面情報を格納する図面情報ファイルと、
該図面情報ファイルに格納された図面情報の変更箇所の変更前の図面情報を格納する変更箇所ファイルと、
図面情報を該図面情報ファイルに入力し、及び変更箇所の図面情報を変更箇所ファイルに入力する入力装置と、
図面情報から図面を出力する出力装置とを備え、
図面情報ファイルの図面情報と変更箇所ファイルの図面情報とから変更前の図面情報を出力装置に出力する図面履歴管理装置において、
変更箇所の変更前の図面情報とともに、入力装置によって入力された変更理由などの付加情報を変更箇所ファイルに格納し、
入力装置より前記付加情報が検索されて選択されると、変更箇所ファイルに格納した、前記付加情報に対応する変更箇所を、図面情報ファイルに格納した図面情報と関係付けて出力装置に出力することを特徴とする、図面履歴管理装置。
【発明の詳細な説明】
【０００１】
【産業上の利用分野】
本発明は、図面の履歴を管理する装置に関するものである。
【０００２】
【従来の技術】
従来、図面情報を変更する場合、変更前の情報を消去し、変更した情報を保存していた。又は、変更箇所以外の情報が全く同じ内容であっても、この同じ情報を２重に保存していた。又、図面情報の変更履歴を管理するためには、図面情報の枠外に注記していた。
【０００３】
【発明が解決しようとする問題点】
しかし、従来の方法では、次のような問題点がある。
＜イ＞変更前の情報を消去する場合、これら情報を後で参照することは不可能になる。
＜ロ＞変更前と変更後の情報を格納する場合、同じ情報を重複して持つことになり、資源の無駄となる。
＜ハ＞図面情報の枠外に注記する場合、履歴内容として保存する情報量に制限が生じる。
＜ニ＞図面情報変更後に、変更箇所を検索するのに、人間の視覚による検索が必要とされる。
【０００４】
【本発明の目的】
本発明は、以下のような目的を有している。
＜イ＞図面情報の変更内容の履歴を管理するために必要となる情報の保存を必要最低限にとどめることにある。
＜ロ＞図面情報の変更箇所の数量に関係なく必要となる情報を保存することが出来ることにある。
＜ハ＞図面情報の変更内容の履歴を管理するために必要な情報は常に図面に付随したかたちで保存されることにある。
＜ニ＞図面情報の変更内容の履歴を管理するために必要な情報を正確にかつ容易に保存できるようにすることにある。
＜ホ＞図面情報の変更箇所の検索が正確にかつ容易に出来るようにすることにある。
【０００５】
【問題点を解決するための手段】
本発明は、図面情報を格納する図面情報ファイルと、該図面情報ファイルに格納された図面情報の変更箇所の変更前の図面情報を格納する変更箇所ファイルと、図面情報を該図面情報ファイルに入力し、及び変更箇所の図面情報を変更箇所ファイルに入力する入力装置と、図面情報から図面を出力する出力装置とを備え、図面情報ファイルの図面情報と変更箇所ファイルの図面情報とから変更前の図面情報を出力装置に出力する図面履歴管理装置において、変更箇所の変更前の図面情報とともに、入力装置によって入力された変更理由などの付加情報を変更箇所ファイルに格納し、入力装置より前記付加情報が検索されて選択されると、変更箇所ファイルに格納した、前記付加情報に対応する変更箇所を、図面情報ファイルに格納した図面情報と関係付けて出力装置に出力することを特徴とする、図面履歴管理装置にある。
【０００６】
【実施例】
以下、図面を用いて本発明の実施例を説明する。
【０００７】
＜イ＞図面履歴管理装置（図１、図２）
図面履歴管理装置１０は、図面の変更に対して、変更前の図面情報も格納し、図面の履歴を管理する。そのためには、変更前と変更後の図面情報を格納する図面ファイル２１を有している。図面ファイル２１は、図面データベース２０で管理され、ハード構成として、中央処理装置１１、ディスク１２、表示装置１３や入力装置１４により管理される。
【０００８】
＜ロ＞図面ファイル（図１）
図面ファイル２１は、図１に示すように、変更済みの最新の図面が格納された図面情報ファイル２２と変更箇所３０の図面情報を格納する変更箇所ファイル２３とを有している。変更箇所ファイル２３は、図面の変更位置と変更位置の変更前の図面情報とを有している。同一箇所に何度か変更がある場合、複数の変更箇所ファイル２３が作成される。
【０００９】
＜ハ＞図面の変更（図３）
建築図面のＸ４〜Ｘ５の通り芯、及びＹ１〜Ｙ２の通り芯付近に対して、図３（Ａ）のように、消防署から両開きのドア４０を設けるよう指摘が成された場合、図面ファイル２１の図面情報を変更する。
その場合、図面情報ファイル２２に変更された図面を格納する。それと共に、変更前の変更箇所３０の図面情報を変更箇所ファイル２３に格納する。変更箇所ファイル２３には、変更前図面３２の他に、変更箇所３０の位置情報３１、例えば、基準点座標ｘ０  、ｙ０  、変更日付コード３３の値９２０８１１、及び変更履歴を管理するために必要な付加情報３４、例えば消防署からの指摘、変更理由などが格納される。
【００１０】
更に、施主から、図３（Ｂ）のように、壁面を変更する要望があると、その要望に応じた図面の変更を行い、図面情報ファイル２２に図３（Ｃ）に示された最新の変更後の図面を格納する。それと共に、変更箇所ファイル２３を追加し、この変更前の図面情報を新たな変更箇所ファイル２３に格納する。この新たな変更箇所ファイル２３にはこの変更の基準点座標ｘ１  、ｙ１  、変更日付コード３３の値９２１２０３、及び変更履歴を管理するために必要な付加情報３４、例えば、施主からの要望、変更理由などが格納される。
【００１１】
以下に図面変更の処理の流れを説明する。
＜Ｓ１＞図面情報ファイル２２に格納されている図面を表示装置に表示する。
＜Ｓ２＞表示画面上の図面において、変更しようとする図面を四角で囲み、変更箇所３０を指定する。
＜Ｓ３＞変更箇所３０に対して変更箇所ファイル２３が作成され、図面情報ファイル２２との関係付けが成される。
＜Ｓ４＞ステップＳ２で指定された四角に囲まれた領域に含まれる図面情報と、図面上での位置情報３１が変更箇所ファイル２３に格納される（Ｓ４）。
＜Ｓ５＞表示画面上で変更日付や変更理由などを聞いてくるので、入力装置１４を用いて答える。
＜Ｓ６＞ステップＳ５で回答した変更日付や変更理由などを変更箇所ファイル２３に付加情報として格納する。
＜Ｓ７＞表示装置１３上で表示された図面情報に変更を加える。
＜Ｓ８＞表示装置１３上での操作を終了する。
＜Ｓ９＞変更された図面情報が図面情報ファイル２２に格納される。
＜Ｓ１０＞変更された図面情報ファイル２２や変更箇所ファイル２３が図面ファイル２１に格納され、ディスク１２に書き込まれる。
【００１２】
以下に図面履歴管理装置の操作例を説明する。
＜イ＞キー検索
図面履歴管理装置１０は、変更された図面の経過情報まで一元的に管理しているので、変更の履歴を調べることができる。例えば、検索キーとして「消防署から指摘された変更箇所」を選択すると、図面の変更箇所から消防署から指摘された変更箇所の一覧が出力される。このように、図面の履歴管理を正確に容易に行うことができる。
【００１３】
＜ロ＞並べ変え
図面の変更内容を日付順に出力したい場合、日付コードにより並べ変えを行い、更に、付加情報のリストを作成できる。これにより、履歴管理表を簡単に作成することができる。
【００１４】
【発明の効果】
本発明は、次のような効果を得ることができる。
＜イ＞図面の変更履歴を管理するための必要最小限の情報が効率良く保存されるので、資源の有効利用が図れる。
＜ロ＞変更箇所ファイルにより図面と図面情報を一括して管理するので、変更内容を簡単に知ることができる。
＜ハ＞変更箇所に関する図面情報とあわせた形で出力表示させることが可能であるので、管理が容易にかつ正確にできる。
＜ニ＞変更箇所に関する情報によるキー検索や並べ変え処理により履歴管理に効果を発する。
【図面の簡単な説明】
【図１】図面ファイルの構造を示す図
【図２】図面履歴管理装置のブロック図
【図３】図面の変更の説明図
【図４】図面の変更処理の流れ図
【図５】キー検索の説明図
【図６】履歴管理表の説明図
【符号の説明】
１０・・・図面履歴管理装置
２０・・・図面データベース
２１・・・図面ファイル
２２・・・図面情報ファイル
２３・・・変更箇所ファイル
３０・・・変更箇所
【図１】
0003579876.tif 000002
【図２】
0003579876.tif 000003
【図３】
0003579876.tif 000004
【図４】
0003579876.tif 000005
【図５】
0003579876.tif 000006
【図６】
0003579876.tif 000007